(57)【要約】テレビ信号受信機（１２）は、テレビチャンネル変更用の直接入力された数字を受信すると、ユーザが入力中のチャンネル番号と、入力されたテレビチャンネル番号に関連するテレビ信号同調装置又はそのチューナ（５２、５４）、特に、テレビ信号受信機のチューナと一又はそれ以上の補助テレビ信号チューナについて、ビジュアルフィードバック（５０）を提供する。様々な補助テレビ信号チューナは、必ずしもというわけではないが、衛星受信機（３０）やケーブルセットトップボックス（２４）等、別個の構成要素についてのものであることが望ましい。直接入力されたテレビチャンネルを受信すると、テレビチャンネルのチューニングが、前回（すなわち、最後に）同調したチャンネルに関連するチューナに対してデフォルトで行われる。デフォルトチューニングは、ユーザによって選択可能としても良い。ビジュアルフィードバック（５０）は、情報バナーのかたちをとっても良い。情報バナーはまた、各構成要素からのチャンネルを変更するのに、別個の構成要素間での切り換え（５６）を可能とするものであっても良い。
2005524291.tif 000002
【特許請求の範囲】
【請求項１】
テレビ信号受信機（１２）におけるテレビチャンネル変更要求を処理する方法（６０）であって、
テレビチャンネルの第１の数字を受信し（６２）、
前記入力テレビチャンネルの数字と、前記入力テレビチャンネルの数字に関連する同調装置とを示すオンスクリーンディスプレイを提供する（６４）
ことを特徴とする方法。
【請求項２】
請求項１記載の方法（６０）であって、前記入力テレビチャンネルの数字に関連する前記同調装置は、前記テレビ信号受信機のチューナ（２０）と、前記テレビ信号受信機に接続された付属同調装置（２４、３０）のチューナ（２５、３１）の一つを含むことを特徴とする方法。
【請求項３】
請求項２記載の方法（６０）であって、前記オンスクリーンディスプレイの提供（６４）は、付属同調装置の選択を前記同調装置として表示（５４）することを特徴とする方法。
【請求項４】
請求項３記載の方法（６０）であって、前記オンスクリーンディスプレイの提供（６４）は、付属同調装置の選択を前記同調装置として表示（５４）し、ユーザが、前記テレビ信号受信機の同調装置と、前記付属同調装置の前記同調装置の一つを、前記入力テレビチャンネルの数字に関連する前記同調装置として選択することを可能とする（６８）ことを特徴とする方法。
【請求項５】
請求項２記載の方法（６０）であって、さらに、前記入力テレビチャンネルの数字に関連する前記同調装置として、最後に同調したテレビチャンネルの同調装置である、前記テレビ信号受信機のチューナと付属同調装置のチューナの一つに、デフォルトで同調させることを特徴とする方法。
【請求項６】
テレビ信号受信機（１２）であって、
処理回路（３４）と、
前記処理回路に接続されたチューナ（２０）と、
テレビ信号入力（１６）と、
オンスクリーンディスプレイ生成部（４０）と、
前記処理回路に接続され、プログラム命令（３６）を含むメモリ（３８）とを有し、前記プログラム命令（３６）は、前記処理回路で実行されたときに、前記テレビ信号受信機に、
テレビチャンネルの第１の数字を受信させ（６２）、
前記入力テレビチャンネルの数字と、前記入力テレビチャンネルの数字に関連する同調装置とを示すオンスクリーンディスプレイを提供させる（６４）ことを特徴とするテレビ信号受信機。
【請求項７】
請求項６記載のテレビ信号受信機（１２）であって、前記入力テレビチャンネルの数字に関連する前記同調装置は、前記テレビ信号受信機のチューナ（２０）と、前記テレビ信号受信機に接続された付属同調装置（２４、３０）のチューナ（２５、３１）の一つを含むことを特徴とするテレビ信号受信機。
【請求項８】
請求項７記載のテレビ信号受信機（１２）であって、前記オンスクリーンディスプレイの提供（６４）は、付属同調装置の選択を前記同調装置として表示（５４）することを特徴とするテレビ信号受信機。
【請求項９】
請求項８記載のテレビ信号受信機（１２）であって、前記オンスクリーンディスプレイの提供（６４）は、付属同調装置の選択を前記同調装置として表示（５４）し、ユーザが、前記テレビ信号受信機の同調装置と、前記付属同調装置の前記チューナの一つを、前記入力テレビチャンネルに関連する前記同調装置として選択することを可能とする（６８）ことを特徴とするテレビ信号受信機。
【請求項１０】
請求項７記載のテレビ信号受信機（１２）であって、前記メモリは、前記処理回路で実行されたときに、前記テレビ信号受信機に、
前記入力テレビチャンネルの数字に関連する前記同調装置として、最後に同調したテレビチャンネルの同調装置である、前記テレビ信号受信機のチューナと前記付属同調装置のチューナの一つに、デフォルトで同調させる（６６）ことを特徴とする方法
【請求項１１】
テレビチャンネルの第１の数字を受信する手段（３４、４４）と、
前記入力テレビチャンネルの数字と、前記入力テレビチャンネルの数字に関連する同調装置とを示すオンスクリーンディスプレイを提供する手段（３４、４０）と
を有することを特徴とするテレビ信号受信機（１２）。
【請求項１２】
請求項１１記載のテレビ信号受信機（１２）であって、前記入力テレビチャンネルの数字に関連する前記同調装置は、前記テレビ信号受信機のチューナ（２０）と、前記テレビ信号受信機に接続された付属同調装置（２４、３０）のチューナ（２５、３１）の一つを含むことを特徴とするテレビ信号受信機。
【請求項１３】
請求項１２記載のテレビ信号受信機（１２）であって、前記オンスクリーンディスプレイを提供する手段（３４、４０）は、付属同調装置の選択を前記同調装置として表示する手段（３４、４０）を有することを特徴とするテレビ信号受信機。
【請求項１４】
請求項１３記載のテレビ信号受信機（１２）であって、前記オンスクリーンディスプレイを提供する手段（３４、４０）は、付属同調装置の選択を前記同調装置として表示する手段（３４、４０）を有し、前記テレビ受信機のチューナと前記付属同調装置の前記チューナの一つを、前記入力テレビチャンネルの数字に関連する前記同調装置として選択することを可能とする手段（４４、４６）を有することを特徴とする手段。
【請求項１５】
請求項１２記載のテレビ信号受信機（１２）であって、
前記入力テレビチャンネルの数字に関連する前記同調装置として、最後に同調したテレビチャンネルの同調装置である、前記テレビ信号受信機のチューナと前記付属同調装置のチューナの一つに、デフォルトで同調する手段（３４）をさらに有することを特徴とするテレビ信号受信機。
【発明の詳細な説明】
【技術分野】
【０００１】
本発明は、テレビ信号処理に関し、特にテレビチャンネルチューニング用のオンスクリーンビジュアルフィードバックに関する。
【背景技術】
【０００２】
場合や場所によっては、アンテナ（つまり、無線送信で）、ケーブルテレビシステム、衛星システムその他の様々なソースから受信されたテレビチャンネルに、同一のチャンネル番号が割り当てられる（を有する）ことがある。従って、例えば、アンテナからのテレビチャンネルと衛星放送の受信機からのテレビチャンネルの双方が、数字「１１」に対応するチャンネルを有していることがあり得る。
【０００３】
例えば、テレビ信号受信装置／受信機（パーソナルビデオレコーダ、つまりＰＶＲ等）は、通常、他の構成要素に加えてアンテナ等のテレビ信号入力に接続する内部チューナを有している。内部チューナにより、ユーザはＰＶＲを特定のテレビチャンネル（すなわち、「チューナチャンネル」）に合わせることができる。ＰＶＲは、ケーブルボックスや衛星放送の受信機その他（すなわち、「付属装置」）からのテレビチャンネルの通過を可能とするテレビ信号入力も有する。付属装置により、ユーザは、付属装置で受信されたテレビ信号（すなわち、衛星ボックスの場合には「衛星チャンネル」、ケーブルボックスの場合には「ケーブルチャンネル」など）に関して、特定のテレビチャンネルに合わせることができる。ユーザが、チャンネル「１１」（すなわち、チューニングチャンネル）に合わせた内部ＰＶＲを有し、チャンネル「１１」を再度入力すると、ＰＶＲはその内部チューナでチャンネル「１１」に合わせる。ユーザが、既に付属装置のチャンネル上におり、「１１」を入力すると、当該装置は付属装置にチャンネル「１１」に同調するよう命令を送信する。
【０００４】
従って、ユーザにとって、自分が既に付属装置のチャンネル（すなわち、衛星チャンネル又はケーブルチャンネル）にいるのか、あるいはチューナチャンネルにいるのかを思い出すのは困難である。また、チューナチャンネルから付属チャンネルに移るには、ユーザはリモート切り換えビデオ入力のボタンを押下して、チューナチャンネルソース（例えば、ＶＣＲ）から付属チャンネル装置へ移らなければならない。ユーザは、所望のチャンネルになるまでチャンネル変更ボタンを数回押下することもできる。
【発明の開示】
【発明が解決しようとする課題】
【０００５】
上記から明らかなように、従来技術の方法は分かりにくく、時間がかかる。また、上述した状況は、ユーザだけでなく、テレビ信号受信機／受信システムにとっても問題となる。
【０００６】
上記から、直接チャンネル入力時に、テレビ信号ソースを簡単に識別できる必要性があることは明らかである。
【課題を解決するための手段】
【０００７】
テレビ信号受信機は、テレビチャンネル変更用に直接入力された数字の受信に応じて、ユーザが入力しているチャンネル番号と、当該チャンネルに関連するテレビ信号同調装置とを示すビジュアルフィードバックを提供する。テレビ信号受信機は、チャンネル入力がデフォルトで特定の同調装置に同調されるデフォルトチューニングを導入しても良い。
【０００８】
一実施形態によれば、テレビチャンネル変更要求を処理する方法が提供される。上記方法は、（ａ）テレビチャンネルの第１の数字を受信し、（ｂ）入力されたテレビチャンネルの数字と、前記入力テレビチャンネルの数字に関連する現在の同調装置とを表示するオンスクリーンディスプレイを提供する。
【発明を実施するための最良の形態】
【０００９】
図面中、対応する符号は、対応する部分を示す。
【００１０】
図１は、本発明の原理を組み込み得るテレビシステム１０のブロック図である。テレビシステム１０は、多様なテレビ信号ソースからのテレビ信号を受信して処理するよう適合され、構成され、及び／又は作動するテレビ信号受信機（ＴＳＲ）１２を有する。テレビ信号受信機１２は、テレビ信号受信機１２と表示装置１４との間の矢印で示されるように、表示装置１４に接続される。表示装置１４は、ディスプレイ（又はスクリーン等）１５を有する。表示装置１４は、テレビ信号受信機１２からのビデオ信号、オンスクリーンディスプレイ信号、及び／又は他の表示可能な信号を受信し、上記信号がディスプレイ１５に表示されるようにディスプレイ１５に上記信号を供給するよう構成された、いかなるタイプの表示装置であっても良い。ディスプレイ装置１４は、テレビ信号受信機１２とは別個のものとして示されているが、テレビ信号受信機のタイプに応じて、ディスプレイ装置１４はテレビ信号受信機１２と一体であっても良い。
【００１１】
テレビ信号受信機１２は、アンテナ１８に接続可能な（接続されて示されている）放送テレビ信号入力１６を有する。アンテナ１８はいかなるタイプでもよく、アナログテレビ信号とデジタルテレビ信号のどちらを受信しても良い。アナログ型の場合、アンテナ１８はＶＨＦテレビ信号とＵＨＦテレビ信号の一方又は双方を受信し得る。放送テレビ信号の場合、受信テレビ信号は、通常、複数のテレビチャンネルを含んでいる。各テレビチャンネルは、そのビデオ及び音声成分、又はプログラミングを伝達する。テレビチャンネルは、一又はそれ以上の様々なタイプの付属データを含む付属データ成分をさらに伝達し得る。受信した放送テレビ信号から様々なテレビチャンネルを分離するのに、テレビ信号受信機１２はチューナ２０を有する。チューナ２０は、特定の放送テレビ信号（すなわち、「チューナチャンネル」）に同調するように作動し、構成され、及び／又は適合されている。従って、チューナ２０は、アナログチューナ又はデジタルチューナであっても、アナログチューニング能力とデジタルチューニング能力の両方を組み込んでいても良い。
【００１２】
放送テレビ信号入力１６に加えて、テレビ信号受信機１２はケーブルテレビ（ＣＡＴＶ）信号入力２２を有する。ＣＡＴＶ入力２２は、ＣＡＴＶプロバイダ又はヘッドエンド２６に接続されたケーブルボックス２４に接続されて示されている。ケーブルボックス２４は、ケーブルテレビ信号を受信するように作動し、構成され、及び／又は適合されている。ケーブルテレビ信号は、アナログテレビ信号、デジタルテレビ信号、又はアナログテレビ信号とデジタルテレビ信号の組み合わせであっても良い。ケーブルテレビ信号の場合、受信テレビ信号は、通常、複数のテレビチャンネルを含んでいる。各テレビチャンネルは、そのビデオ及び音声成分、又はプログラミングを伝達する。テレビチャンネルは、一又はそれ以上の様々なタイプの付属データを含む付属データ成分をさらに伝達し得る。受信ケーブルテレビ信号から様々なテレビチャンネルを分離するのに、ケーブルボックス２４はチューナ２５を有する。チューナ２５は、特定のケーブルテレビチャンネル（すなわち、「ケーブルチャンネル」）に同調するよう作動し、構成され、及び／又は適合されている。従って、チューナ２５は、アナログチューナ又はデジタルチューナであっても、アナログチューニング能力とデジタルチューニング能力の両方を組み込んでいても良い。
【００１３】
放送テレビ信号入力１６とＣＡＴＶ入力２２に加えて、テレビ信号受信機１２は、衛星テレビ信号入力２８を有する。衛星入力２８は、衛星受信アンテナ（すなわち、パラボラアンテナ）３２に接続された衛星受信機／ボックス３０に接続されて示されている。衛星受信機３０は、衛生テレビ信号を受信するよう作動し、構成され、及び／又は適合されている。衛星テレビ信号は、アナログテレビ信号、デジタルテレビ信号、又はアナログテレビ信号とデジタルテレビ信号の組み合わせであっても良いが、通常はデジタルテレビ信号である。衛星テレビ信号の場合、受信テレビ信号は、通常、複数のテレビチャンネルを含んでいる。各テレビチャンネルがそのビデオ及びオーディオ成分、又はプログラミングを伝達する。テレビチャンネルは、一又はそれ以上の様々なタイプの付属データを含む補助データ成分をさらに伝達し得る。受信衛星テレビ信号から様々なテレビチャンネルを分離するのに、衛星受信機３０はチューナ３１を有する。チューナ３１は、特定のケーブルテレビチャンネル（すなわち、「ケーブルチャンネル」）に合わせるよう適合し、構成され、及び／又は適合されている。従って、チューナ３１は、アナログチューナ又はデジタルチューナであっても、アナログチューニング能力とデジタルチューニング能力の双方を組み込んでいても良い。
【００１４】
テレビ受信機１２、ケーブルボックス２４、衛星受信機３０は、図１に単純化して示されている。従って、それぞれが、各装置にとって標準的な一又はそれ以上の方法で動作するために、従来から知られているような他の又は付加的な構成要素（図示せず）を有する。テレビ信号受信機１２に関しては、他の様々な構成要素が図２に示され、それに関連して説明される。
【００１５】
従って、テレビ信号受信機１２は、特定の有線放送のテレビチャンネルに同調するよう作動する。テレビ信号受信機１２はまた、「ケーブルＴＶ」チューナを組み込んでも良く、従って、ケーブル及び有線放送のテレビチャンネルを組み合わせても、ケーブル及び有線放送のテレビチャンネルに信号入力を介して合わせることが可能であっても良い。この場合、アンテナ入力１６とＣＡＴＶ入力２２を組み合わせても良い。
【００１６】
ケーブルボックス２４からのケーブルチャンネルや（衛星受信機３０からの）衛星チャンネルの場合、テレビ信号受信機１２はそれらのテレビチャンネルの通過を許す。特に、衛星受信機３０で合わせたテレビチャンネル（すなわち、「衛星チューナ」の「衛星チャンネル」）やケーブルボックス２４で合わせたテレビチャンネル（すなわち、「ケーブルチューナ」で合わせた「ケーブルチャンネル」）は、ディスプレイ１４又はこれに接続された他の任意のテレビ信号受信装置／構成要素（これらをまとめて「補助チューナ」の「補助チャンネル」と呼ぶ）に供給される。テレビ信号受信機の実施形態に応じて、当然ながら、テレビ信号受信機１２は、受信した衛星チャンネルやケーブルチャンネルを自身の目的に用いても良い。
【００１７】
この点で、テレビ信号受信機１２は、テレビ信号レコーダ（例えば、ＰＶＲやハードディスクレコーダなど）、テレビ、セットトップボックス、ＤＶＤ／ＰＶＲ等を組み合わせた装置など、テレビ信号を受信し処理する多様な型の装置を表し、その構成要素であっても良い。テレビ信号受信機１２はまた、衛星テレビ信号に加えて、放送テレビ信号、ケーブルテレビ信号、又は放送テレビ信号とケーブルテレビ信号の双方を受け取る衛星受信機であっても良い。テレビ信号受信機１２は、上記のようなケーブルボックスであっても良い。
【００１８】
図１に関して、テレビ信号受信機１２は、３つのテレビ信号入力（すなわち、放送入力１６、ＣＡＴＶ入力２２、衛星入力２８）と共に示されているが、テレビ信号受信機２２は、これより多くの又は少ないテレビ信号入力を有しても良い。しかし、テレビ信号入力がより少ない場合も、少なくとも２つ以上のテレビ信号入力を備える。テレビ信号受信機はまた、他のソースからのテレビ信号を受信する他の又は予備の入力を備えても良い。他の又は予備のテレビ信号入力としては、ＡＶ−１、ＡＶ−２、Ｓ−ｖｉｄｅｏなどが知られている。
【００１９】
あらゆる場合において、以下にさらに述べるように、テレビ信号受信機１２は、ユーザに対してテレビ信号受信機が、直接入力チャンネル変更要求に応じて、チューナチャンネル変更、衛星チャンネル変更、及び、ケーブルチャンネル変更のいずれを行っているのかについてビジュアルフィードバックを提供するように作動し、構成され、及び／又は適合されている。特に、テレビチャンネル変更の最初の又は冒頭の数字の受信に応じて、テレビ信号受信機１２はビジュアルフィードバックのオンスクリーンディスプレイを生成し、又は生成させ、生成されたオンスクリーンディスプレイを表示装置１４に供給する。一実施形態によれば、ビジュアルフィードバックを情報バナーとして提供しても良い。情報バナーは、入力されている（又は入力された）チャンネル番号、チャンネル変更要求が処理されている同調装置（すなわち、どの同調装置が当該チャンネル番号に同調しているか）、（例えば、衛星からケーブルへ）同調装置を変更する能力を示す。テレビチャンネルの変更は、通常、ユーザによってリモコン等の入力装置を介して開始されるが、テレビチャンネルの変更をテレビ信号受信機やその他の構成要素によって開始しても良い。必ずしもというわけではないが、テレビ信号受信機１２が、最後に同調したチャンネルの同調装置をデフォルトで選択することが望ましい。
【００２０】
図２は、本発明の原理によるテレビ信号受信機１２のブロック図である。テレビ信号受信機１２は、図２でＤＶＤ／ＰＶＲの組み合わせとして実施されている。他のタイプのテレビ信号受信機で、特に図２のＤＶＤ／ＰＶＲ１２に関して、前述の原理を利用しても良い。
【００２１】
ＤＶＤ／ＰＶＲ１２は、信号処理回路／ロジック、プロセッサ、又は処理手段等３４をさらに有している。処理回路／ロジックは、単一のブロックとして表されているが、処理回路／ロジック３０は、付加的な回路／ロジックを備える又は備えない、一又はそれ以上の数の集積回路（ＩＣ）として実施しても良い。処理回路／ロジック３４は、音声再生用のオーディオ情報、表示用のビデオ情報、ＰＳＩＰ／付属情報を得るために、デジタル及び／又はアナログテレビ信号を処理するように適合され、構成され、及び／又は作動する。信号処理回路／ロジック３４はさらに、標準的な及び／又は公知の他のＤＶＤ／ＰＶＲ信号処理タスクを行い、一般的にＤＶＤ／ＰＶＲ１２の構成要素を制御し、規制し、及び／又は動作させるように適合され、構成され、及び／又は作動する。このため、信号処理回路／ロジック３４は、メモリ３８に格納されたプログラミング（ソフトウェア）又はプログラム命令３６を利用するよう適合され、構成され、及び／又は作動する。プログラム命令３６は、ここに記載する機能を提供する。
【００２２】
また、ＤＶＤ／ＰＶＲ１２は、オンスクリーンディスプレイ（ＯＳＤ）生成部４０を有する。オンスクリーンディスプレイ（ＯＳＤ）生成部４０は、処理回路／ロジック３４及び／又はメモリ３８に格納されたプログラム命令３６の制御下で、様々なテキストメッセージ、メニュー、リスト、グラフィックス、表示等、特にチャンネル変更のビジュアルフィードバック（例えば、情報バナー）を本発明の原理に従って表示装置１４に表現、表示することを可能にするオンスクリーンディスプレイ信号を生成するよう適合され、構成され、及び／又は作動する。このようなオンスクリーンディスプレイは、本原理に従って、状況に応じてリアルタイムで変化してもスタティックであっても良い。
【００２３】
さらに、ＤＶＤ／ＰＶＲ１２は、ユーザ入力装置及び／又は受信機４４を有する。ユーザ入力装置／受信機４４は、直接入力チャンネル変更（すなわち、数字ごと）、選択、選抜、トグルボタン、アスペクト、特徴や、ＤＶＤ／ＰＶＲ１２の特徴、機能及び／又は設定に関しての嗜好についてのユーザからの入力を受け付ける又は受信するよう適合され、構成され、及び／又は作動する。一実施形態によれば、ユーザ入力装置／受信機４４は、リモートコントロール４６と、ＩＲ送信機／受信機等の関連するリモートコントロール受信機であっても良い。別の実施形態によれば、ユーザ入力装置／受信機４４は、ユーザ入力を可能とするパネルやボタン等であっても良い。直接数字入力のかたちでのチャンネル変更のためのユーザ入力は、ＤＶＤ／ＰＶＲ１２で受け付けられ、処理される。ユーザ入力装置／受信機４４はまた、オンスクリーンメニュー選択及び／又は選択肢として提供される機能及び／又は特徴選択等に応じて、他の様々な目的のコマンドを受信する。これには、チャンネルチューニングのために現在のチューナを変更することも含まれる。
【００２４】
ＤＶＤ／ＰＶＲ１２はまた、そのＰＶＲ機能用のハードディスクドライブ、テープ、他のデジタル記憶手段等の記録媒体４２を有しても良い。また、ＤＶＤ／ＰＶＲ１２は、ＤＶＤを受け入れて再生する公知のＤＶＤコンポーネント４８を有する。ＤＶＤ／ＰＶＲ１２はまた、特に図示も説明もしていないが、ＤＶＤ／ＰＶＲにとって標準的な他の構成要素を含む。さらに、ＤＶＤ／ＰＶＲ１２は、現行のＤＶＤ／ＰＶＲに標準的な多くの特徴及び／又は機能を備えることができる。
【００２５】
ＤＶＤ／ＰＶＲ１２は、プログラム命令又はソフトウェア３６をメモリ３８に格納する。プログラム命令又はソフトウェア３６は、特に処理回路／ロジック３４で実行可能であるが、ＤＶＤ／ＰＶＲ１２の他の構成要素によって実行可能としても良い。メモリ３２は、ＲＡＭ、ＲＯＭ等、任意の適当なタイプのメモリや記憶装置であって良い。プログラム命令は、本発明の原理に従ったＤＶＤ／ＰＶＲの動作に加えて、公知のＤＶＤ／ＰＶＲの動作を提供する。プログラム命令は、処理回路の動作及び／又は処理回路を介したその多様な構成要素の動作を提供する。従って、プログラム命令の実行は、テレビ信号処理回路／ロジック３４の動作／機能に加えて、ＤＶＤ／ＰＶＲ１２の動作／機能とみなしても良い。
【００２６】
特に、ＤＶＤ／ＰＶＲ１２は、テレビチャンネル変更の要求を、必ずというわけでないが通常、リモコン４６を介して受信する。チャンネル変更要求は、通常、リモコンの数字キーを押下することでなされる。意図されたチャンネルの第１の数字を受け取ると、ＤＶＤ／ＰＶＲは、ＯＳＤ生成部４０にユーザに対してビジュアルフィードバックを提供させる。一実施形態によれば、ＯＳＤ生成部４０は、ディスプレイ１５上での表示用に、情報バナーを表示装置１４に提供する。
【００２７】
図３Ａは、チャンネル変更要求に対するビジュアルフィードバックとして表示装置１４に提供される情報バナー５０を示す。情報バナー５０は、ＤＶＤ／ＰＶＲ１２のチューナについて、（３本の下線で表す）テレビチャンネル番号を示すよう作動するチューナチャンネルセクション５２を有する。ユーザが入力した数字がチューナチャンネルセクション５２の空欄に表示されるに従い、ユーザは入力中のチャンネル番号が、衛星、ケーブルその他のコンポーネントチューナ（まとめて「補助チャンネル」、個別には「衛星チャンネル」や「ケーブルチャンネル」等）ではなく、ＤＶＤ／ＰＶＲチューナ（「チューナチャンネル」）で同調されつつある（又は同調される）ことに気づく。
【００２８】
情報バナー５０はまた、テレビチャンネルを他のそれぞれのソースから得るのに利用可能な（ＤＶＤ／ＰＶＲ１２に接続された）一（図示せず）又はそれ以上の付属同調装置を示す付属同調装置セクション５４を有する。図３Ａの例では、付属同調装置セクション５４には、衛星受信機の衛星チューナが示されている。ユーザはリモコンを用いて付属同調装置セクション５４を選択して、当該装置からの同調を有効とするためにチャンネルの変更を可能としても良い。この場合も、３本の下線が、ユーザが入力したテレビチャンネル番号（数字）に置き換えられる。また、利用可能な他のチューニングコンポーネントがあれば、付属同調装置のトグル又はボタン５６が提供される。この例では、利用可能な他のチューニングコンポーネント（別のソースからの他のテレビチャンネルの組）が存在する。このボタンを選択することで、ユーザは、付属同調装置セクション５４のチューニングコンポーネントを変更することができる。
【００２９】
図３Ｂは、ユーザが、同調装置変更ボタン又はトグル５６を介して、衛星チューナ（「Ｓａ」）からケーブルチューナ（「Ｃａ」）に切り換えた後の情報バナー５０を示す。上記セクションへのテレビチャンネル番号の入力により、ケーブルボックスによる同調が有効となる。付属同調装置ボタン５６は、前回利用可能だった装置を表示するように変化する。
【００３０】
テレビチャンネル番号を入力後、情報バナー５０は消え、要求されたテレビチャンネルが現れる。本発明のある面によれば、チャンネル変更のためにチャンネル番号の第１番目の数字を最初に入力すると、ＤＶＤ／ＰＶＲは常にチューナチャンネルに合わせられても良い。しかし、本発明の別の面によれば、ＤＶＤ／ＰＶＲは、常にＤＶＤ／ＰＶＲのチューナにデフォルトで合わせられるのではなく、最後に使用されたチューナ（すなわち、最後のチューナ、チャンネル変更前の現在のチューナ、又は、現在見ているテレビチャンネルのチューナ）にデフォルトで合わせられても良い。従って、ユーザが衛星チャンネルを見ていた場合、入力されたテレビチャンネルが、衛星チューナを示す「Ｓａ」ラベルと共に付属同調装置セクション５４に現れ、衛星チューナがチューニングに用いられる。
【００３１】
図４は、本原理による、型を問わない、テレビ信号受信機１２の動作方法例のフローチャート６０を示す。ブロック６２で、テレビ信号受信機１２は、テレビチャンネル番号の第１番目の数字を受信する。これは、テレビチャンネルの変更を構成する。ブロック６４で、テレビ信号受信機は、情報バナー等、テレビチャンネルの変更に関するビジュアルフィードバックを提供する。ブロック６６で、テレビ信号受信機は、デフォルトの同調装置設定を利用して、ビジュアルフィードバックの特定のチューニングチャンネルコンポーネントセクションに第１の数字の入力を示す。ブロック６８で、デフォルトの同調装置が所望のものではない場合、ユーザは同調装置を選択することができる。
【００３２】
その後、ブロック７０で、テレビ信号受信機１２は、残りのチャンネル番号／数字を受信する。ブロック７２で、テレビ信号受信機は、選択された同調装置を特定のチャンネルに同調させる。その結果、ブロック７４に示すように、ビジュアルフィードバックが消される。なお、上記の全てのステップがビジュアルフィードバックを提供するのに必要というわけではない。また、必ずしも上記の全てのステップが前述の順番で実行されるわけではない。従って、様々な態様が可能である。
【００３３】
本発明の原理の別の面による方法は、図４のフローチャート６０と共に説明したステップより多くの又は少ないステップ、及び／又は、説明したものとは異なった、あるいは変更したステップを含み得る。同様に、他の方法でシステムの状態情報をユーザフレンドリーな方法で提供することも可能であり、予期される。
【００３４】
本発明を好適な構成を有するものとして説明したが、本発明は開示した趣旨や範囲から逸脱することなく、さらに変更することが可能である。従って、本明細書は、本発明の一般的な原理を用いた、いかなる変形例、使用法、適応例をも包含するものである。さらに、本明細書は、本発明が属する技術分野の従来技術の範囲であって、ここに開示されていないものや、添付の特許請求の範囲内のものを包含する。
【００３５】
本件米国出願は、２００２年４月２３日に本件出願人により出願された、米国仮出願番号第６０／３７４，９５４号、発明の名称「Ｄｉｒｅｃｔ  Ｃｈａｎｎｎｅｌ  Ｅｎｔｒｙ  Ｆｏｒ  Ｔｕｎｅｒ  ａｎｄ  Ｓａｔｅｌｌｉｔｅ  ｏｒ  Ｃａｂｌｅ  Ｒｅｃｅｉｖｅｒ  Ｂｏｔｈ  Ｅｎａｂｌｅｄ  Ｆｒｏｍ  ａ  Ｍｅｎｕ  Ｏｆｆｅｒｉｎｇ  Ｖｉｓｕａｌ  Ｆｅｅｄｂａｃｋ」の優先権を主張するものである。
【図面の簡単な説明】
【００３６】
【図１】本発明の原理によるテレビ信号受信機を組み込んだテレビシステムのブロック図である。
【図２】本発明の原理によるテレビ信号受信機のブロック図である。
【図３Ａ】本発明のある側面による、情報バナーのかたちをとったビジュアルフィードバックのオンスクリーンディスプレイを有する表示装置の図であって、特にチューナチャンネル又は衛星チャンネルに関するテレビジョンチャンネル入力を示す図である。
【図３Ｂ】本発明のある側面による、情報バナーのかたちをとったビジュアルフィードバックのオンスクリーンディスプレイを有する表示装置の図であって、特にチューナチャンネル又はケーブルチャンネルに関するテレビジョンチャンネル入力を示す図である。
【図４】本発明のある側面による動作方法のフローチャートである。
【図１】
2005524291.tif 000003
【図２】
2005524291.tif 000004
【図３Ａ】
2005524291.tif 000005
【図３Ｂ】
2005524291.tif 000006
【図４】
2005524291.tif 000007
【国際調査報告】
2005524291.tif 000008
2005524291.tif 000009
2005524291.tif 000010